(57)【特許請求の範囲】
【請求項１】
所定の間隔で同期信号を生成する同期信号生成手段と、前記同期信号に従って、磁気テープを走行させるテープ走行手段と、前記同期信号に従って、走行中の前記磁気テープからの磁界強度を表した磁化パターンを読み出す磁界ラインセンサと、を備える磁気テープ再生装置であって、
前記磁界ラインセンサは、前記走行中の磁気テープの記録面上で所定の検出範囲から磁界強度を検出する磁気センサと、前記検出範囲外の磁界が当該磁気センサに達することを防止する磁気シールドとの組が、前記磁気テープの走行方向に直交してライン状に配置され、
前記磁界ラインセンサが読み出した磁化パターンのアジマス角及びトラック角に基づいて、前記磁気テープのフォーマット種別を判定し、判定された前記フォーマット種別に従って前記磁化パターンとして記録されたデータを復元するデータ復元手段、を備えることを特徴とする磁気テープ再生装置。
【請求項２】
前記磁気シールドは、前記磁気テープの走行方向に対して、少なくとも前記磁気センサの前後に配置された高透磁率軟磁性材料であることを特徴とする請求項１に記載の磁気テープ再生装置。
【発明の詳細な説明】
【技術分野】
【０００１】
本願発明は、磁気テープを再生する磁気テープ再生装置に関する。
【背景技術】
【０００２】
従来から、磁気転写膜を用いて、磁気テープに記録された磁化パターンを光学的に再生する発明が提案されている（例えば、特許文献１参照）。この特許文献１に記載の発明は、フラックスガイドを設け、磁束を集中させている。
【先行技術文献】
【特許文献】
【０００３】
【特許文献１】特開２０１２−１４６３５６号公報
【発明の概要】
【発明が解決しようとする課題】
【０００４】
しかし、前記した従来技術では、フラックスガイドを設けているが、磁気テープの磁気モーメントが小さいため、磁気転写膜による磁化パターンの読み出し感度が十分でなく、磁気テープを再生できないことがあった。
【０００５】
そこで、本願発明は、磁化パターンの読み出し感度が高い磁気テープ再生装置を提供することを課題とする。
【課題を解決するための手段】
【０００６】
前記した課題に鑑みて、本願発明に係る磁気テープ再生装置は、所定の間隔で同期信号を生成する同期信号生成手段と、前記同期信号に従って、磁気テープを走行させるテープ走行手段と、前記同期信号に従って、走行中の前記磁気テープからの磁界強度を表した磁化パターンを読み出す磁界ラインセンサと、を備える磁気テープ再生装置であって、前記磁界ラインセンサは、前記走行中の磁気テープの記録面上で所定の検出範囲から磁界強度を検出する磁気センサと、前記検出範囲外の磁界が当該磁気センサに達することを防止する磁気シールドとの組が、前記磁気テープの走行方向に直交してライン状に配置され、前記磁界ラインセンサが読み出した磁化パターンのアジマス角及びトラック角に基づいて、前記磁気テープのフォーマット種別を判定し、判定された前記フォーマット種別に従って前記磁化パターンとして記録されたデータを復元するデータ復元手段、を備える構成とした。
かかる構成によれば、磁気テープ再生装置は、磁界ラインセンサとして高感度な磁気センサを用いるため、磁気モーメントが弱い磁気テープからの磁界強度も検出できる。
【発明の効果】
【０００７】
本願発明によれば、以下のような優れた効果を奏する。
本願発明によれば、磁界ラインセンサが磁気モーメントの弱い磁気テープからの磁界強度も検出できるので、磁化パターンの読み出し感度を高くすることができる。
【図面の簡単な説明】
【０００８】
【図１】本願発明の実施形態に係る磁気テープ再生装置の構成を示すブロック図である。
【図２】（ａ）及び（ｂ）は磁化パターンの読み取りを表した概念図である。
【図３】磁界ラインセンサの構造を表した模式図である。
【図４】磁気シールドの形状を表した外観図である。
【図５】磁気シールドの形状を表した外観図である。
【図６】テープ走行手段を説明する説明図である。
【図７】テープ走行手段を説明する説明図である。
【図８】フォーマット種別の判定手法を説明する説明図である。
【図９】磁気テープ再生装置の動作を示すフローチャートである。
【発明を実施するための形態】
【０００９】
［磁気テープ再生装置の構成］
以下、本願発明の実施形態について、適宜図面を参照しながら詳細に説明する。
図１を参照し、本願発明の実施形態に係る磁気テープ再生装置１の構成について説明する。
【００１０】
従来より、ＶＨＳ、ベータ、Ｄ５、ＤＡＴ、ＨＤＣＡＭ、８ミリ等の様々なフォーマットの磁気テープ９が存在し、各フォーマットに対応した専用再生装置で磁気テープ９を再生する。従って、テープ資産を有する者は、何台もの専用再生装置を管理していく必要がある。しかし現実的には、専用再生装置は、メーカの保守期間が終了し、その管理が困難になることが多い。
【００１１】
そこで、磁気テープ再生装置１は、各フォーマットによって決められている専用の回転ドラムヘッド等 の磁気ヘッドを用いる代わりに、磁界ラインセンサ２０を用いることで様々なフォーマット種別の磁気テープ９を再生可能としたものである。図１のように、磁気テープ再生装置１は、基準クロック生成手段（同期信号生成手段）１０と、磁界ラインセンサ２０と、テープ走行手段３０と、データ復元手段４０とを備える。
【００１２】
基準クロック生成手段１０は、所定の間隔で基準クロック（同期信号）を生成するものである。この基準クロックは、磁気テープ再生装置１の各手段を同期させる基準となる信号である。例えば、基準クロック生成手段１０は、磁気テープ再生装置１が対応する各フォーマットの最小記録データ幅よりも、基準クロック間のテープ走行距離が短くなるように基準クロックを生成すればよい。そして、基準クロック生成手段１０は、生成した基準クロックを、磁界ラインセンサ２０と、テープ走行手段３０と、データ復元手段４０とに出力する。
【００１３】
磁界ラインセンサ２０は、基準クロック生成手段１０から入力された基準クロックに従って、走行中の磁気テープ９から磁化パターンを読み出すものである。ここで、磁界ラインセンサ２０は、図２（ａ）のように、引き出された状態で走行している磁気テープ９の記録面９０に均一荷重で接触する。そして、磁界ラインセンサ２０は、図２（ｂ）のように、磁気テープ９の記録面９０からの磁化パターンを読み出して、読み出した磁化パターンをデータ復元手段４０に出力する。
【００１４】
なお、図２では、磁気テープ９の走行方向をブロック矢印で図示した。
また、本実施形態では、磁界ラインセンサ２０は、読み出した磁化パターンを画像データとしてデータ復元手段４０に出力することとした。
【００１５】
＜磁界ラインセンサの構造＞
図３を参照し、磁界ラインセンサ２０の構造を詳細に説明する（適宜図１参照）。
図３のように、磁界ラインセンサ２０は、磁界ラインセンサ本体２１と、駆動回路群２７とを備える。
磁界ラインセンサ本体２１は、磁気センサ２３と、磁気シールド２５とを備える。
【００１６】
磁気センサ２３は、走行中の磁気テープ９の記録面９０上で所定幅の検出範囲から磁界強度を検出するものである。この磁気センサ２３は、感度が高いＴＭＲ（Tunnel Magneto Resistive）型磁界センサであることが好ましい。また、磁気センサ２３は、その種類が特に制限されるものではなく、例えば、ＧＭＲ(Giant Magneto Resistive)型磁界センサ、ＣＰＰ−ＧＭＲ型磁界センサ、ＡＭＲ(Anisotropic Magneto Resistive)型磁界センサ等の高感度磁界センサを利用できる。
【００１７】
磁気シールド２５は、検出範囲外の磁界が磁気センサ２３に達することを防止するものである。この磁気シールド２５は、Ｎｉ−Ｆｅ合金、Ｎｉ−Ｆｅ−Ｍｏ合金、Ｃｏ−Ｚｒ系アモルファス材料等の高透磁率軟磁性材料である。
また、磁気シールド２５は、磁気テープ９の走行方向に対して、磁気センサ２３の前後に位置する。つまり、磁気シールド２５は、図面上で磁気センサ２３の左右に位置する。
【００１８】
ここで、磁気センサ２３及び磁気シールド２５は、１，２，…，Ｎ−１，Ｎ組だけ、磁気テープ９の走行方向に直交する幅方向に、ライン状に配置される（Ｎは２以上の整数）。例えば、磁気センサ２３の検出範囲を磁気テープ９の幅方向で１００ｎｍとし、１インチ幅までの磁気テープ９を再生する場合を考える。この場合、磁気センサ２３及び磁気シールド２５の組が、約２５万４千個配置される。
【００１９】
＜磁気シールドの形状＞
図４，図５を参照し、磁気シールド２５の形状を詳細に説明する。
図４のように、磁気シールド２５は、逆凹形状とし、逆凹部２５ａに磁気センサ２３を収容してもよい。すなわち、磁気シールド２５は、逆凹部２５ａの両側から延長された脚部２５ｂ，２５ｃが、磁気テープ９の走行方向前後から磁気センサ２３を挟むように設置される。
【００２０】
また、磁気シールド２５は、検出範囲外の磁界を遮断するため、磁気センサ２３以上の幅を有することが好ましい。さらに、磁気シールド２５は、逆凹部２５ａに樹脂又は誘電体等（不図示）を充填し、磁気センサ２３を密封してもよい。
【００２１】
また、図５のように、磁気シールド２５は、磁気テープ９の走行方向前後から磁気センサ２３を挟むように設置された２枚の平板２５ｄ，２５ｅであってもよい。この場合、平板２５ｄ，２５ｅは、磁気センサ２３以上の幅を有することが好ましい。このとき、磁気シールド２５は、平板２５ｄ，２５ｅの間に樹脂又は誘電体等（不図示）を充填し、磁気センサ２３を密封してもよい。
このような構成により、磁界ラインセンサ２０は、磁界強度の検出感度を高くすると共に、磁界の誤検出を防止することができる。
【００２２】
磁気テープ再生装置１の構成について説明を続ける。
図３のように、駆動回路群２７は、磁気センサ２３と対応するように、Ｎ個の駆動回路２９を備える。
駆動回路２９は、基準クロック生成手段１０から入力された基準クロックに従って、磁気センサ２３を駆動するものである。例えば、駆動回路２９は、バイアス電流を磁気センサ２３に印加すると共に、磁気センサ２３からの検出信号をデータ復元手段４０に出力する。
【００２３】
基準クロックが入力された時刻を１，２，…，Ｔ−１，Ｔとする。この場合、磁気テープ９に記録された磁化パターンは、１〜Ｎ番目の磁気センサ２３が時刻１〜Ｔまでに検出した磁界強度で表される。言い換えるなら、この磁化パターンは、磁気センサ２３の番号Ｎと、基準クロックの時刻Ｔとの組み合わせで磁界強度を特定したものである。
【００２４】
テープ走行手段３０は、基準クロック生成手段１０から入力された基準クロックに従って、磁気テープ９を走行させるものである。以下、図６，図７を参照し、テープ走行手段３０の第１例及び第２例を説明する。
【００２５】
＜テープ走行手段の第１例＞
図６の第１例では、テープ走行手段３０は、記録面９０をケース９１から引き出した状態で磁気テープ９を走行させる。このため、テープ走行手段３０は、モータ（不図示）と、ガイド３１,３４と、キャプスタンローラ３２と、ピンチローラ３３とを備える。また、ガイド３１、キャプスタンローラ３２及びピンチローラ３３は、磁気テープ９を正面視した際、左右対称に配置されている。
なお、図６では、説明を簡易にするためケース９１の一部を省略した。
【００２６】
モータは、基準クロックに従って、磁気テープ９のリール９２を回転させるものである。例えば、このモータは、リール９２に嵌合する歯車３５が回転軸の先端に形成されており、この回転軸を介して、リール９２を回転させる。
【００２７】
ガイド３１は、キャプスタンローラ３２及びピンチローラ３３の近傍に配置され、記録面９０を誘導するものである。
キャプスタンローラ３２及びピンチローラ３３は、記録面９０に一定の張力を与えることで、記録面９０を磁界ラインセンサ２０に均一荷重で押しつけるものである。キャプスタンローラ３２及びピンチローラ３３は、記録面９０を挟むように対で配置される。
ガイド３４は、磁界ラインセンサ２０を通過した記録面９０をキャプスタンローラ３２及びピンチローラ３３に誘導するものである。
【００２８】
なお、ＶＨＳ、ベータ、Ｄ５、ＤＡＴ、ＨＤＣＡＭ、８ミリといったフォーマット毎に、磁気テープ９の形状やサイズ、リール９２の径や間隔が異なることがある。そこで、磁気テープ再生装置１は、各フォーマットに適合したテープ走行手段３０を備えてもよい。
この場合、磁気テープ再生装置１は、フォーマット毎のテープ走行手段３０で共用される磁界ラインセンサ２０を１個だけ備えてもよい。例えば、磁気テープ再生装置１は、各フォーマットの磁気テープ９の近傍まで磁界ラインセンサ２０を移動させる移動機構を備える。
【００２９】
＜テープ走行手段の第２例＞
図７の第２例では、リール９２をケース９１から取り出した後、テープ走行手段３０が磁気テープ９を走行させる。このため、テープ走行手段３０は、モータ（不図示）と、キャプスタンローラ３２と、ピンチローラ３３とを備える。
【００３０】
この第２例では、テープ走行手段３０は、リール９２がケース９１から取り出されているため、リール９２の間隔や大きさに影響を受けない。つまり、テープ走行手段３０は、磁気テープ９のフォーマット種別に関わらず、磁気テープ９を走行させることができる。
【００３１】
図１に戻り、磁気テープ再生装置１の構成について説明を続ける。
データ復元手段４０は、磁界ラインセンサ２０から入力された磁化パターンのアジマス角及びトラック角に基づいて、磁気テープ９のフォーマット種別を判定する。そして、データ復元手段４０は、判定されたフォーマット種別に従って、磁化パターンとして記録されたデータを復元するものである。
【００３２】
＜フォーマットの判定＞
図８を参照し、データ復元手段４０によるフォーマット種別の判定を詳細に説明する。
図８のように、磁気テープ９は、ヘリカルスキャンアジマス記録方式に対応しており、映像トラック９３と、音声トラック及びコントロールトラック（不図示）が記録面９０に記録されている。
なお、図８では、音声トラック及びコントロールトラックの図示を省略した。
【００３３】
映像トラック９３は、映像データを記録するトラックである。この映像トラック９３は、磁気テープ９の走行方向に対して、所定のトラック角θだけ傾けられている。
なお、トラック角θは、磁気テープ９の走行方向に平行な直線αと、映像トラック９３の長辺とのなす角である。
【００３４】
また、回転ドラムヘッドによる磁気テープ再生方式においては、映像トラック９３（９３Ａ，９３Ｂ）は、１個の回転ドラムヘッド内に異なる角度に傾けられて搭載された２個の回転ヘッドで交互に再生される。つまり、映像トラック９３Ａが第１の回転ヘッドで再生され、映像トラック９３Ｂが第２の回転ヘッドで再生される。そこで、ヘリカルスキャンアジマス記録方式においては、映像トラック９３Ａ，９３Ｂは、異なる回転ヘッドによる誤再生を防止するため、対応する回転ヘッドに合わせて、所定のアジマス角φだけ傾けられている。このとき、映像トラック９３Ａ，９３Ｂは、アジマス角φが同じ大きさであり、傾斜させる方向が反対になる。
なお、アジマス角φとは、映像トラック９３の幅方向に平行な直線βと、映像トラック９３に記録された磁化パターンを表す線分とのなす角である。
【００３５】
そして、トラック角θ及びアジマス角φは、異なるフォーマット間での誤再生を防止するため、フォーマット種別毎に固有の角度が設定されている。従って、磁気テープ９では、トラック角θ及びアジマス角φを特定できれば、その磁化パターンを記録したフォーマット種別を特定できる。
【００３６】
まず、データ復元手段４０には、ルックアップテーブルを予め設定しておく。このルックアップテーブルは、磁気テープ９のフォーマット種別と、そのフォーマット種別に固有のトラック角θ及びアジマス角φを対応付けたデータベースである。
次に、データ復元手段４０は、磁界ラインセンサ２０から得られた磁化パターンに画像処理を施し、この磁化パターンからトラック角θ及びアジマス角φを検出する。データ復元手段４０は、検出したトラック角θ及びアジマス角φと、ルックアップテーブルのトラック角θ及びアジマス角φとを比較することで、フォーマット種別を判定する。
そして、データ復元手段４０は、判定されたフォーマット種別に従って磁化パターンが表すデータを解析し、コントロールトラックに記録された制御情報に従って元データを復元する。
【００３７】
［磁気テープ再生装置の動作］
図９を参照し、磁気テープ再生装置１の動作について説明する（適宜図１参照）。
図９のように、磁気テープ再生装置１は、基準クロック生成手段１０によって、所定の間隔で基準クロックを生成する（ステップＳ１）。
【００３８】
磁気テープ再生装置１は、テープ走行手段３０によって、ステップＳ１で生成された基準クロックに従って、磁気テープ９を走行させる（ステップＳ２）。
磁気テープ再生装置１は、磁界ラインセンサ２０によって、ステップＳ１で生成された基準クロックに従って、走行中の磁気テープ９から磁化パターンを読み取る（ステップＳ３）。
【００３９】
磁気テープ再生装置１は、データ復元手段４０によって、ステップＳ３で読み取った磁化パターンからトラック角を検出する（ステップＳ４）。
磁気テープ再生装置１は、データ復元手段４０によって、ステップＳ３で読み取った磁化パターンからアジマス角を検出する（ステップＳ５）。
磁気テープ再生装置１は、データ復元手段４０によって、ルックアップテーブルから、ステップＳ４，Ｓ５で検出されたトラック角θ及びアジマス角φに対応するフォーマット種別を判定する（ステップＳ６）。
磁気テープ再生装置１は、データ復元手段４０によって、ステップＳ６で判定されたフォーマット種別で、磁化パターンが表すデータを復元する（ステップＳ７）。
【００４０】
以上のように、本願発明の実施形態に係る磁気テープ再生装置１は、磁界ラインセンサ２０が磁気モーメントの弱い磁気テープ９からの磁界にも反応するので、その感度を高くすることができる。その結果、磁気テープ再生装置１は、従来技術に比べて、磁気テープ９の再生エラーを低減することができる。
【００４１】
さらに、磁気テープ再生装置１は、様々なフォーマットの磁気テープ９を再生できる。つまり、磁気テープ再生装置１は、フリーフォーマット磁気テープ再生装置として扱うことができるので、フォーマット毎に専用再生装置を管理する必要がなく、テープ資産の維持が容易となる。
【００４２】
以上、本願発明の実施形態を詳述してきたが、本願発明は前記した実施形態に限られるものではなく、本願発明の要旨を逸脱しない範囲の設計変更等も含まれる。
前記した実施形態では、磁化パターンを画像データとして扱うこととして説明したが、数値データとして扱ってもよい。この場合、本願発明は、画像データによりフォーマットを判定した後、数値データを用いて所定のフォーマット方式に従って解析・復元を行うことで、アナログ記録方式の磁気テープ再生にも対応することができる。
【００４３】
前記した実施形態では、磁化パターンのアジマス角及びトラック角に基づいて、フォーマット種別を判定することとして説明したが、これに限定されない。
データ復元手段には、代表磁化パターンのデータベースを予め設定しておく。この代表磁化パターンとは、各フォーマット種別で代表的な磁化パターンのことである。そして、データ復元手段は、磁界ラインセンサから入力された磁化パターンと、データベースの代表磁化パターンとをパターン認識技術により比較し、フォーマット種別を判定する。
また、磁気テープ再生装置は、音声トラックとコントロールトラックとの距離を磁気的に検出してもよい。この場合、磁気テープ再生装置は、この距離からテープ幅を推定し、フォーマット種別を判定できる。
【符号の説明】
【００４４】
１  磁気テープ再生装置
１０  基準クロック生成手段（同期信号生成手段）
２０  磁界ラインセンサ
２１  磁界ラインセンサ本体
２３  磁気センサ
２５  磁気シールド
２７  駆動回路群
２９  駆動回路
３０  テープ走行手段
３１,３４  ガイド
３２  キャプスタンローラ
３３  ピンチローラ
４０  データ復元手段
【図１】
0006527413.tif 000002
【図２】
0006527413.tif 000003
【図３】
0006527413.tif 000004
【図４】
0006527413.tif 000005
【図５】
0006527413.tif 000006
【図６】
0006527413.tif 000007
【図７】
0006527413.tif 000008
【図８】
0006527413.tif 000009
【図９】
0006527413.tif 000010